(57)【要約】【課題】放送の一時終了を検出するとネットワークを介して映像・音声を受信再生することにより、視聴を継続を可能にする、あるいは、予め蓄積してある映像・音声を自動的に再生する。【解決手段】本発明は、アンテナから放送信号を受信し、受信した放送信号を表示再生可能な信号に変換して、表示し、放送を正しく受信できないことを検出した場合には、ネットワークにアクセスして受信したデータを表示可能な信号に変換し、放送からの信号と前記ネットワークからの信号を切り替え指示によって切り替えて出力する。【選択図】　　　図１
2004096646.tif 000002
【特許請求の範囲】
【請求項１】
放送を正しく受信できない場合にネットワークからのデータを表示再生するための放送受信方法において、
アンテナから放送信号を受信し、
受信した放送信号を表示再生可能な信号に変換して、表示し、
放送を正しく受信できないことを検出した場合には、ネットワークにアクセスして受信したデータを表示可能な信号に変換し、
放送による信号と前記ネットワークからの信号を切り替え指示によって切り替えて出力することを特徴とする放送受信方法。
【請求項２】
放送を正しく受信できない場合に加えて、正しく受信できることも検出する請求項１記載の放送受信方法。
【請求項３】
予め蓄積手段に蓄積された映像データを取得して再生する請求項１記載の放送受信方法。
【請求項４】
前記ネットワークから受信したデータ、または、前記蓄積手段から取得したデータのいずれかを優先的に再生するかを選択可能とする請求項３記載の放送受信方法。
【請求項５】
放送を正しく受信できない場合にネットワークからのデータを表示再生するための放送受信装置であって、
アンテナから放送信号を受信する受信手段と、
受信した放送信号を表示再生可能な信号に変換して、表示する映像再生手段と、
放送を正しく受信できないことを検出する放送終了検出手段と、
ネットワークに接続するネットワーク接続手段と、
前記放送終了検出手段において、正しく受信できないことを検出した場合に、前記ネットワーク接続手段によりネットワークにアクセスして受信したデータを表示可能な信号に変換するデータ再生手段と、
放送による信号と前記ネットワークからの信号を切り替え指示によって切り替えて出力する切替手段と、を有することを特徴とする放送受信装置。
【請求項６】
前記放送終了検出手段は、
放送を正しく受信できない場合に加えて、正しく受信できることも検出する手段を含む請求項５記載の放送受信装置。
【請求項７】
映像データを蓄積する蓄積手段を更に有し、
前記データ再生手段は、
前記蓄積手段に蓄積された映像データを取得して再生する手段を含む請求項５記載の放送受信装置。
【請求項８】
前記データ再生手段は、
前記ネットワークから受信したデータ、または、前記蓄積手段から取得したデータのいずれかを優先的に再生するかを選択可能とする手段を含む請求項７記載の放送受信装置。
【発明の詳細な説明】
【０００１】
【発明の属する技術分野】
本発明は、放送受信方法及び装置に係り、特に、テレビ放送やラジオ放送を受信・再生するテレビ受像機、ラジオ、あるいは、ＳＴＢ（セットトップボックス）等の放送が受信できない場合に、代わりのコンテンツを表示再生するための放送受信方法及び装置に関する。
【０００２】
【従来の技術】
従来、テレビ放送やラジオ放送を受信・再生する、テレビ受像機、ラジオ、あるいは、ＳＴＢが知られている。これらの受信機では、アンテナで受信した信号を内蔵のチューナで受信し、受信した信号の映像や音声をテレビ画面に表示したり、スピーカから再生したりしている。しかし、放送が終了すると、映像や音声として再生可能な信号を受信できなくなり、テレビ画面やスピーカではノイズとなって再生されてしまうことになる。これは例えば、テレビでは砂嵐と呼ばれる状態である。
【０００３】
これに対し、テレビ信号を監視し、これがない場合は放送終了と見做し、電源をオフにする方法がある（例えば、特許文献１参照。）。
【０００４】
【特許文献１】
特開平７−３２２１６９号公報。
【０００５】
【発明が解決しようとする課題】
しかしながら、上記特許文献１の方法では、放送の一時終了を検出すると電源をオフにしているが、視聴者としては、他の放送局で放送されている番組を視聴したいという状況があり得る。ところが、１つでも放送が終了しているような状況では他の放送局も終了している、あるいは、間もなく終了する可能性が高く、視聴を継続させるのは難しい。
【０００６】
本発明は、上記の点に鑑みなされたもので、放送の一時終了を検出するとネットワークを介して映像・音声を受信再生することにより、視聴を継続を可能にする、あるいは、予め蓄積してある映像・音声を自動的に再生することが可能な放送受信方法及び装置を提供することを目的とする。
【０００７】
また、本発明の更なる目的は、放送の再開を検出した場合は、放送の映像・音声を再生することも可能な放送受信方法及び装置を提供することである。
【０００８】
【課題を解決するための手段】
図１は、本発明の原理を説明するための図である。
【０００９】
本発明は、放送を正しく受信できない場合にネットワークからのデータを表示再生するための放送受信方法において、
アンテナから放送信号を受信し（ステップ１）、
受信した放送信号を表示再生可能な信号に変換して、表示し（ステップ２）、
放送を正しく受信できないことを検出した場合には、ネットワークにアクセスして受信したデータを表示可能な信号に変換し（ステップ３）、
放送による信号とネットワークからの信号を切り替え指示によって切り替えて出力する（ステップ４）。
【００１０】
また、本発明は、放送を正しく受信できない場合に加えて、正しく受信できることも検出する。
【００１１】
また、本発明は、予め蓄積手段に蓄積された映像データを取得して再生する。
また、本発明は、ネットワークから受信したデータ、または、蓄積手段から取得したデータのいずれかを優先的に再生するかを選択可能とする。
【００１２】
図２は、本発明の原理構成図である。
【００１３】
本発明は、放送を正しく受信できない場合にネットワークからのデータを表示再生するための放送受信装置であって、
アンテナから放送信号を受信する受信手段１１０と、
受信した放送信号を表示再生可能な信号に変換して、表示する映像再生手段１３０と、
放送を正しく受信できないことを検出する放送終了検出手段１２０と、
ネットワークに接続するネットワーク接続手段１５０と、
放送終了検出手段１２０において、正しく受信できないことを検出した場合に、ネットワーク接続手段１５０によりネットワークにアクセスして受信したデータを表示可能な信号に変換するデータ再生手段１６０と、
放送からの信号とネットワークからの信号を切り替え指示によって切り替えて出力する切替手段１４０と、を有する。
【００１４】
また、本発明の放送受信装置の放送終了検出手段１２０は、
放送を正しく受信できない場合に加えて、正しく受信できることも検出する手段を含む。
【００１５】
また、本発明の放送受信装置は、映像データを蓄積する蓄積手段を更に有し、
データ再生手段１６０において、蓄積手段に蓄積された映像データを取得して再生する手段を含む。
【００１６】
また、本発明の放送受信装置のデータ再生手段１６０は、ネットワークから受信したデータ、または、蓄積手段から取得したデータのいずれかを優先的に再生するかを選択可能とする手段を含む。
【００１７】
上記のように、本発明では、放送受信設定が未設定、あるいは、放送が終了してしまった、等の理由により、放送を受信できない場合に、ネットワークから受信したコンテンツ、あるいは、受信端末内に蓄積されたコンテンツを再生することが可能となる。
【００１８】
【発明の実施の形態】
以下、図面と共に本発明の一実施の形態を説明する。
【００１９】
図３は、本発明の一実施の形態における放送受信装置の構成を示す。
【００２０】
同図に示す放送受信装置１００は、テレビ映像受信部１１０、放送終了検出部１２０、テレビ映像再生部１３０、切替制御部１４０、ネットワーク接続受信部１５０、映像データ再生部１６０、アクセス先記憶部１７０、映像蓄積部１８０から構成され、アンテナ１０、ネットワーク２０、表示再生部３０が接続される。
【００２１】
テレビ映像受信部１１０は、アンテナ１０から受信したテレビ放送の信号を受信する。
【００２２】
放送終了検出部１２０は、テレビ放送が正しく流れていることを検出すると、切替制御部１４０に対し、テレビ映像受信部１１０の信号を表示再生部３０へ出力するように指示する。また、放送終了検出部１２０は、テレビ映像受信部１１０の出力信号によりアンテナ１０からテレビ放送が正しく流れていないことを検出すると、ネットワーク接続受信部１５０に対し、ネットワーク２０への接続と映像データの受信開始を指示する。テレビ放送が正しく流れていないことは、例えば、一定時間、正しいテレビ信号を検出できないことで検出できる。また、さらに、切替制御部１４０に対し、映像データ再生部１６０からの映像入力へと切替を指示する。
【００２３】
テレビ映像再生部１３０は、テレビ映像受信部１１０の信号を表示再生部３０で表示再生できるように信号変換を行い、出力する。例えば、ＮＴＳＣ信号へと変換する。
【００２４】
切替制御部１４０は、放送終了検出部１２０の指示に従い、テレビ映像受信部１１０の信号を表示再生部３０へ出力する。また、切替制御部１４０は、放送終了検出部１２０により切替指示を受けると、映像データ再生部１６０で変換された映像信号を表示再生部３０へ送出するように切替を実行する。
【００２５】
ネットワーク接続受信部１５０は、放送終了検出部１２０から指示を受けると、ネットワーク２０への接続を実行する。接続を完了すると、アクセス先記憶部１７０から映像データを受信するアクセス先を取得し、データ受信アクセスを実行する。アクセス先とは、例えば、インターネット上の映像の所在を表すＵＲＬ（Ｕｎｉｆｏｒｍ　Ｒｅｓｏｕｒｃｅ　Ｌｏｃａｔｏｒ）である。
【００２６】
映像データ再生部１６０は、ネットワーク接続受信部１５０で受信したデータを表示再生可能な映像信号へと変換する。インターネットから受信するデータは、例えば、ＭＰＥＧ形式などのディジタルデータであることが一般的であるが、このような形式から表示再生部３０で表示再生可能なＮＴＳＣ形式などに変換する。
【００２７】
次に、上記の構成における動作を説明する。
【００２８】
図４は、本発明の一実施の形態における放送受信装置の動作のフローチャートである。
【００２９】
テレビ映像受信部１１０において、アンテナ１０からテレビ放送の信号を受信する（ステップ１０１）。放送終了検出部１２０において、受信した信号が正常であるかを判断し、正常であれば（ステップ１０２，ｙｅｓ）、切替制御部１４０に対して受信した映像信号を表示再生部３０に出力するように指示し、これにより、切替制御部１４０は、映像信号を表示再生部３０で再生できるように変換し、出力する（ステップ１０３）。
【００３０】
一方、放送終了検出部１２０において、アンテナ１０からテレビ放送が正しく流れていないことを検出すると（ステップ１０２，ｎｏ）、ネットワーク接続受信部１５０に対してネットワーク２０への接続と、映像データの受信開始を指示する（ステップ１０４）。さらに、切替制御部１４０に対して映像データ再生部１６０からの映像入力に切り替えるように指示する（ステップ１０５）。これにより、ネットワーク接続受信部１５０は、ネットワークへ接続し、アクセス先記憶部１７０から映像データの受信先を取得してアクセスする（ステップ１０６）。アクセスにより取得したデータを映像データ再生部１６０において、表示再生可能な映像信号に変換し、切替制御部１４０において、映像信号を表示再生部３０へ送出するように切り替え、表示再生部３０において、映像を再生する（ステップ１０７）。
【００３１】
以上により、アンテナ１０からテレビ放送が正しく受信できない場合でも、ネットワーク２０から受信した映像に自動的に切り替えることで、シームレスな映像再生が可能になる。
【００３２】
なお、ここでは、放送終了をテレビ映像受信部１１０の出力信号により検出する例を示したが、テレビ映像再生部１３０により変換された信号を用いてもよい。また、ここでは、テレビ映像の例を示したが、ラジオ放送についても同様に実施できる。
【００３３】
また、上記のステップ１０６におけるネットワーク２０への接続は、インターネットの常時接続などにより常に接続状態にある場合には、当該接続の処理を省略することができる。
【００３４】
また、ネットワーク２０への接続手段が整っていない、あるいは、アクセス先が正しくない、あるいは、アクセス先から映像データが流れてこない、等の場合に備え、予め映像蓄積部１８０に映像データを蓄積しておき、このデータを再生することで、シームレスな映像再生が可能である。
【００３５】
さらには、意図的にネットワーク２０からの映像と蓄積映像のどちらを優先して再生するかをユーザに選択させることも可能である。
【００３６】
なお、上記の図３における放送受信装置の構成をプログラムとして構築し、放送受信装置として利用されるコンピュータにインストールする、または、ネットワークを介して流通させることが可能である。
【００３７】
また、構築されたプログラムを放送受信装置として利用されるコンピュータに接続されるハードディスク装置や、フレキシブルディスク、ＣＤ−ＲＯＭ等の可搬記憶媒体に格納しておき、本発明を実施する際にインストールすることも可能である。
【００３８】
なお、本発明は、上記の実施の形態に限定されることなく、特許請求の範囲内において、種々変更・応用が可能である。
【００３９】
【発明の効果】
上述のように、本発明によれば、放送からの映像・音声が深夜等の利用により一時中断した場合でも、その間は他の映像・音声を自動的に再生するため、継続的にコンテンツを再生することが可能となる。
【００４０】
また、端末の購入直後など、放送局の受信設定が困難な場合でも、本発明によれば、予め蓄積してある設定マニュアルの映像を自動的にユーザに見せることで分かり易く設定方法を説明することが可能となる。
【図面の簡単な説明】
【図１】本発明の原理を説明するための図である。
【図２】本発明の原理構成図である。
【図３】本発明の一実施の形態における放送受信装置の構成図である。
【図４】本発明の一実施の形態における放送受信装置の動作のフローチャートである。
【符号の説明】
１００　放送受信装置
１１０　受信手段、テレビ映像受信部
１２０　放送終了検出手段、放送終了検出部
１３０　映像再生手段、レテビ映像再生部
１４０　切替手段、切替制御部
１５０　ネットワーク接続手段、ネットワーク接続受信部
１６０　データ再生手段、映像データ再生手段
１７０　アクセス先記憶部
１８０　映像蓄積部
【図１】
2004096646.tif 000003
【図２】
2004096646.tif 000004
【図３】
2004096646.tif 000005
【図４】
2004096646.tif 000006